(57)【特許請求の範囲】
【請求項１】
ニトリルゴムと、コルク粒子またはコルク粉末からなるコルク素材とを主成分とした混合物による矩形状の成形板であって、該成形板は、該ニトリルゴムと該コルク素材とを混練し加熱成形することで形成され、該成形板の厚さ部位の周面全体に接合用の凹部と凸部を交互に連続して備え、該各凹部は入り口が狭く、奥行きが徐々に広がる構造で、該凸部は先端部位が平坦な同じ厚さを備え、該凸部の先端面の両端は円弧状であり、該凸部は基部に向けて徐々に弧状に狭くなる構造であり、該凸部と基部で連接する凹部の底面は平坦面を有し、該凹部の底面の両端部は円弧状であり、隣接する凸部の基部に連接するとともに、該凸部と凹部が連続して交互に規則正しく等間隔に繰り返し矩形周面の全体に形成され、かつ各隅角部に位置する凸部のうちの隅角部寄りの片側から降下する直線と、隅角部側に位置する凹部底面の一端から斜めに立ち上がる直線とが直角に交叉する形状に形成され、凹凸部の各接合部は隙間無く密接に隣接し、矩形状の成形板同士の凹凸部による接合部は隙間の無い密接な接合構造であることを特徴とする室内競技床、室内の各種レジャー用床。
【請求項２】
請求項１記載の室内競技床、室内の各種レジャー用床の裏面に厚さが２ｍｍから１０ｍｍの厚さの矩形の合成ゴム板を積層固着してなる二層構造であることを特徴とする室内競技床、室内の各種レジャー用床。
【発明の詳細な説明】
【技術分野】
【０００１】
本発明は、体育館や屋内施設等の床等に敷設して剣道を含む各種スポーツの施設床や踊り場、遊戯場又はレクリエーション等の施設床として利用可能で、使用後は各パーツに分解してコンパクトな状態で収納、保管し、使用時に保管場所から取り出して各パーツの周縁に形成した凹凸同士を密に嵌合して前後左右方向の床上に敷設し、使用後は１枚、１枚を分解するか又は複数枚を相互に嵌合下状態で保管し、組立・分解作業が容易で、搬送可能な剣道を含む各種スポーツ施設床あるいは遊戯場等の各種施設床として提供するものである。
【背景技術】
【０００２】
一般に、剣道の道場は、剣道試合審判規則の第１章総則第２条に、「床は板張りを原則とする」旨が記載されている。しかし、近年の剣道における試合や稽古が行われる床面には、多くの場合、表面に塗装が施され、床の材質を規定することの意味が失われている現状にある。また、剣道の練習中又は試合中において、踏み込み動作に適した床の緩衝性に関しては、剣道の規則での明文化や規格化がなされていないこととも相俟って、剣道の技術の変容や傷害等に関わる安全性が問題視されている。さらに、剣道が国際的に愛好されている今日においても、海外では未だに剣道の専用施設を整備することは難しく、試合中の傷害予防への配慮や、正しい基本動作の修得がしやすい床面を確保することは、日本の剣道場を海外に広めていく上での重要な課題となっている。又、剣道に限らず各種屋内スポーツの室内競技用施設、児童等の運動施設、遊戯施設等としての要望があることに着目し、室内競技や踊り等の遊戯施設として既存の室内床に対する使用感の向上を図ることを目的として、本発明は広く室内施設の一環として室内競技床、室内の各種レジャー用床を提供するものである。
【先行技術文献】
【特許文献】
【０００３】
【特許文献１】特開２０００−３５６０４６
【０００４】
この発明は、武道場の観客席の床レベルより下方部において設けられたピット内において昇降可能に設けられた収納リフターの４段の畳格納室に２組の畳ユニットを収納しておき、畳ユニットをピットの上部において武道場床とは反対側に設けられた設置収納用伸縮作動装置によって武道場床上に押し出して設置して行き、また片付けの際には逆に引き戻して行く発明である。本システムを並置して４組の畳ユニットを設置し、畳の長手方向へのシフトを可能にする為に設置収納用伸縮作動装置に横スライド装置を設ける構成である。収納リフターの昇降や両装置の作動及び作動順は制御装置によって制御している。
【０００５】
特許文献１の発明は、設置収納用伸縮作動装置によって武道場床上に押し出して設置して行き、また片付けの際には逆に引き戻して行くという発明である。また、従来の剣道床としては、剣道に最適と言われる吉野杉で、軟らか過ぎず、硬過ぎない最高の使い心地と耐久性に優れた赤無垢３０ｍｍ厚板、無節上小節の最高級品が使用されている。
しかし、このような高級床材を全国に設けることは、競技者等にとっては大変恵まれた環境であるが、一般的には財政上等の理由により、困難である。まして海外に高級床材の道場を敷設することは、木材の価格や輸送費等を含めて資金上も困難である。
【発明の概要】
【発明が解決しようとする課題】
【０００６】
本発明は、上記特許文献１の発明および従来の高級剣道床材とは異なり、剣道を始めとする室内の床上で行う各種スポーツ競技又は遊戯等のレクリエーション用床等を国内及び海外に向けて広く普及させ、安価に剣道を含む各種の競技用床や遊戯場床あるいは娯楽施設用床等として一般に提供することを目的とするものである。
【課題を解決するための手段】
【０００７】
本発明に係る室内競技床、室内の各種レジャー用床は、ニトリルゴムと、コルク粒子またはコルク粉末からなるコルク素材とを主成分とした混合物による矩形状の成形板であって、該成形板は、該ニトリルゴムと該コルク素材とを混練し加熱成形することで形成され、該成形板の厚さ部位の周面全体に接合用の凹部と凸部を交互に連続して備え、該各凹部は入り口が狭く、奥行きが徐々に広がる構造で、該凸部は先端部位が平坦な同じ厚さを備え、該凸部の先端面の両端は円弧状であり、該凸部は基部に向けて徐々に弧状に狭くなる構造であり、該凸部と基部で連接する凹部の底面は平坦面を有し、該凹部の底面の両端部は円弧状であり、隣接する凸部の基部に連接するとともに、該凸部と凹部が連続して交互に規則正しく等間隔に繰り返し矩形周面の全体に形成され、かつ各隅角部に位置する凸部のうちの隅角部寄りの片側から降下する直線と、隅角部側に位置する凹部底面の一端から斜めに立ち上がる直線とが直角に交叉する形状に形成され、凹凸部の各接合部は隙間無く密接に隣接し、矩形状の成形板同士の凹凸部による接合部は隙間の無い密接な接合構造であることを特徴とする。
【０００９】
本発明に係る請求項２記載の室内競技床、室内の各種レジャー用床は、請求項１記載の室内競技床、室内の各種レジャー用床の裏面に厚さが２ｍｍから１０ｍｍの厚さの矩形の合成ゴム板を積層固着してなる二層構造であることを特徴とする。
【発明の効果】
【００１０】
本発明は室内の床に敷設する剣道場床を含む各種室内用スポーツ床或いは室内用レジャー用床として床上に敷設する場合、平坦で板同士の接合部が相互に平滑な接合が実現され、かつ接合部同士は隙間の無い形状に形成されているので、床表面は平滑な平面であり、床表面における摺足も良好で、適度な硬度と適度な弾力性を備えているために、剣士が床を踏み込んだ時に生じる衝撃力が緩和される。それ故、足への負担は大幅に軽減され、足の怪我も減少する。また、足の運びはスムーズ行うことができ、摺足も容易である結果、剣道の練習又は試合による怪我も少なく、従来の床材による摩擦抵抗に基づくヤケドも少なくなる。
【００１１】
特に、室内競技床又はレジャー用床の裏面に合成ゴムシートが一体的に設けられた二層構造の場合は、床に対し合成ゴムシートが直接、床に接する為に衝撃がより一層、緩和、吸収され、クッション性も一段と向上することとなり、利用者は足への負担が軽減され、屋内レジャー施設としても快適である。さらに、試合中又は運動中等において、転倒やつまずき等により体等が床上に転倒しようとも、従来の木材等の床板に比べて、クッション性が一段と高いので衝撃力に対する吸収力が増し、重大な怪我から開放される。
【図面の簡単な説明】
【００１２】
【図１】本発明の練習用床を含む室内競技床、室内の各種レジャー用床単体がコルク粉又はコルク粒と合成ゴムを含有する混合物からなる成形板の一実施例を示す平面図である。
【図２】図１に示す練習用床を含む室内競技床、室内の各種レジャー用床同士を組合せた状態の一部を示す平面図である。
【図３】本発明の他の実施例を示す練習用床を含む室内競技床、室内の各種レジャー用床単体が二層構造である場合の実施例を示す拡大断面図である。
【発明を実施するための形態】
【００１３】
本発明に係る剣道場床を含む各種スポーツ用床又は娯楽施設用床等の一実施例を図面に基づいて説明する。
図１は、本発明の練習用床を含む室内競技床、室内の各種レジャー用床の一実施例を示す平面図である。以下、便宜上、練習用床を含む室内競技床及び室内の各種レジャー用床を総称して室内床１として説明する。
【００１４】
剣道場床を含む各種スポーツ用施設床や遊戯・娯楽施設床等の床構成部材（室内床１）の一実施例として、縦、横がそれぞれ３０ｃｍから１００ｃｍの範囲の正方形状又は矩形で、厚さが２ｍｍから１５ｍｍの外周面に凸部と凹部が交互に連続して形成された嵌合部を備え、該凸部は先端部が広く、該先端部の両端部は丸みを帯び、基部に向けて徐々に狭められ、基部で円弧状に形成されて平坦な窪みを有する凹部と連接する構造である。同じ形状で、同じ厚さの凸部間は接合相手のスポーツ用施設床構成部材を拡大し、該凸部の基部寄りは徐々に狭まる形状をしており、図２に示すように該凸部と嵌合する凹部の嵌合部は相互に係合している。嵌合用凸部の先端部は平坦面で、該平坦面の両端角部は丸みを帯び、先端面の両端部はＲ形状で基部側に向けて徐々にくびれたＲ形状に形成され、隣に形成される窪み部の形状は凸部形状と逆対称的な形状に形成され、嵌合時においては、室内床１同士の嵌合状態では相互の、室内床１同士が緊密な接合状態を維持しており、不使用時には嵌合状態の板面同士を垂直方向にずらすことにより容易に分離することができる。
【００１５】
本発明に係る剣道場床を含む室内床１に含まれるニトリルゴムは主要な合成ゴムの１つであり、アクリロニトリルと１,３−ブタジエンとの共重合体である。ＮＢＲとも呼ばれる。耐油性、耐摩耗性、引き裂き強度に比較的優れるが、耐オゾン性や耐寒性が他のゴムより劣る。アクリロニトリルの含量によってゴムの特性が決まる。ニトリルの量が増加するにしたがって、鉱油系の油、炭化水素系の燃料に対する抵抗は良くなるが、逆に低温柔軟性は悪くなる。
ＥＶＡ樹脂（Ｅｔｈｙｌｅｎｅ  Ｖｉｎｙｌ  Ａｃｅｔａｔｅ  Ｃｏｐｏｌｙｍｅｒ）ニトリルゴム（ＮＢＲ）は、ブタジエンとアクリロニトリルの共重合体で、耐油性合成ゴムの中では、もっとも広く使用されている。ＮＢＲは非常に品種が多く、その個性を決めているのが、アクリロニトリル含有量（結合ＡＮ量）である。結合ＡＮ量が多ければ耐油性が上がり、少なければ（ブタジエンが多くなれば）耐寒性があがる。したがって、その適用に当たっては、使用地域或いは気候の温暖地域又は気候の寒冷地域等に応じてＮＢＲの配合量を変えることが望ましい。
【００１６】
ニトリルゴムはシール材として、要求される圧縮永久ひずみ、引張り強さ、耐磨耗性が、比較的に良いため、最も重要な材料のひとつである。ただし、ゴムの構造中に不飽和結合を含むため、耐候性は良くないので、屋内で使用するのが好適である。したがって、ニトリルゴム製品の保管場所は、オゾンを発生する電気装置の近くや直射日光のあたる場所は避けて保管する必要がある。ニトリルゴムの用途は、その優れた耐油性を利用した工業用品に幅広く使用されている。
【００１７】
剣道場床を含む各種スポーツ用床及び遊戯用床を含むクッション性のある室内床１は、平面矩形状であり、正方形又は長方形状のいずれであってもよい。前記クッション性のある室内床１を正方形又は長方形状に特定した理由は、床等に敷設する際に、前記室内床１同士の接合作業が容易であること等に基づく。本例では平面形状が正方形である場合について説明する。
【００１８】
室内床１は、図１に示すように正方形の周囲全体に接合用の凹部３と接合用の凸部２をそれぞれ形成する（本例では、正方形を例にとり説明するが、図示しない長方形の４辺の周囲に接合用凹部と凸部を交互に形成する場合も含む）。
コルクは本来、コルクガシの樹皮を採取して作られる。採取する際に形成層などの生きた組織を痛めないように、樹皮のみをはいで製造する。コルクガシを植樹後、数年を経た段階で、第１回の剥ぎ取りを行う。このときに得られた樹皮（バージンコルク）は表面が亀裂や凹凸に富み、加工製品の素材としては適さない。そのため、洋ランのような熱帯性の着生植物を着生状態で栽培するときの植え付け材として利用される。その後は数年ごとに再度厚く成長した樹皮を剥ぎ取っていく。剥ぎ取られた樹皮はまず高温蒸気処理を行う。これによって樹皮は弾力を増やし、丸みがとれて平らになり、打ち抜きやすくなる。
【００１９】
本発明で使用する室内床１の成分及び配合量は、ニトリルゴムが１５〜３５％、コルクが３０〜６５％、充填材が１５〜３５％で、その他の増量剤及び結着剤は１〜６％であり、合計１００％として混合物の成分及び配合量が決まる。該ニトリルゴム生地とコルク素材及び充填材をローラ等にて混練して得た生地を金型にて加熱成形して所定厚の成形板を得る。
【００２０】
ニトリルゴムとコルク粒子またはコルク粉末を主成分とした混合物による室内床１は、矩形状の成形板の厚さ部位の周面全体に接合用の凹部３と凸部２を交互に連続して形成する。該凹部３は入り口が狭く、奥行きが徐々に広がる構造で、該凸部２は先端部位が平坦で広く、該先端部位から基部に向けて徐々に狭くなる構造である。
【００２１】
各凸部２と各凹部３は交互に規則正しく等間隔に繰り返し平面矩形の厚さ表面の全体に形成される。各隅角部寄りの接合部は室内床１の相互が密接に嵌合又は接合する構造である。
【００２２】
図３は、本発明の他の実施例であり、練習用を含む室内競技床、室内の各種レジャー用床（室内床１）単体が二層構造であることを示す拡大断面図である。室内床１の裏面に厚さが２ｍｍから１０ｍｍの厚さの矩形の合成ゴム板４を積層固着してなる二層構造である。
【産業上の利用可能性】
【００２３】
本発明は、本発明の室内の剣道場を始めとし、各種の室内スポーツ競技場や室内での各種レジャー用床等、多角的な使用目的に使用でき、海外への室内用床施設として幅広く利用される。
【符号の説明】
【００２４】
１    室内床
２    凸部
３    凹部
４    合成ゴム板
５    接着剤
【図１】
0006788979.tif 000002
【図２】
0006788979.tif 000003
【図３】
0006788979.tif 000004